(57)【要約】  ＷＬＡＮネットワークに基づく速度制御方法であって、ユーザデバイスの優先度レベルに基づいてユーザデバイスのデータ伝送の最高速度閾値と最低速度閾値を確定し、優先度レベルの高いユーザデバイスに対応するデータ伝送の最高速度閾値と最低速度閾値が高いこと、ユーザデバイスの優先度レベルに基づいてユーザデバイスのデータ伝送の初期速度を確定し、ユーザデバイスのデータ伝送の初期速度が、ユーザデバイスに対応する最高速度閾値以下であるとともに、ユーザデバイスに対応する最低速度閾値以上であり、優先度レベルの高いユーザデバイスに対応するデータ伝送の初期速度が高いこと、及びユーザデバイスが無線アクセスノード（ＡＰ）へ送信したサービス請求を受信した場合、確定されたユーザデバイスのデータ伝送の初期速度に基づいて、ユーザデバイスへサービスを提供すること、を含む。本発明の実施例は、ユーザの優先度レベルに基づいてデータ伝送の速度を確定し、チャンネルの利用率を向上させる。【選択図】  図２
2015529409.tif 000002
【特許請求の範囲】
【請求項１】
ＷＬＡＮネットワークに基づく速度制御方法であって、
ユーザデバイスの優先度レベルに基づいてユーザデバイスのデータ伝送の最高速度閾値と最低速度閾値を確定し、優先度レベルの高いユーザデバイスほど、対応する前記データ伝送の最高速度閾値と最低速度閾値が高いことと、
ユーザデバイスの優先度レベルに基づいてユーザデバイスのデータ伝送の初期速度を確定し、前記ユーザデバイスのデータ伝送の初期速度が、前記ユーザデバイスに対応する最高速度閾値以下であるとともに、前記ユーザデバイスに対応する最低速度閾値以上であり、優先度レベルの高いユーザデバイスほど、対応する前記データ伝送の初期速度が高いことと、
ユーザデバイスが無線アクセスノード（ＡＰ）へ送信したサービス請求を受信した場合、確定された前記ユーザデバイスのデータ伝送の初期速度に基づいて、ユーザデバイスへサービスを提供することと、を含むＷＬＡＮネットワークに基づく速度制御方法。
【請求項２】
前記無線アクセスノードにアクセスするユーザデバイスの数が変化する、及び/又はサービスタイプの使用が変化する、及び/又は無線ネットワークの環境が変化する場合、ユーザデバイスの優先度レベルに基づいてユーザデバイスのデータ伝送の速度を再び確定し、優先度レベルの高いユーザデバイスほど、対応する前記データ伝送の速度が高いことと、
ユーザデバイスが無線アクセスノード（ＡＰ）へ送信したサービス請求を受信した場合、前記再び確定されたユーザデバイスのデータ伝送の速度に基づいて、前記ユーザデバイスへサービスを提供することと、を更に含む請求項１に記載の方法。
【請求項３】
前記ユーザデバイスの優先度レベルは、前記ユーザデバイスのレベル情報、及び/又はネットワークサービスレベル、及び/又はサービスタイプ情報により確定される請求項１又は２に記載の方法。
【請求項４】
前記ユーザデバイスレベル情報に基づいて確定されるユーザデバイスの優先度レベルは、上級ユーザ、普通ユーザ、及び下級ユーザに分けられ、前記上級ユーザ、普通ユーザ、及び下級ユーザの優先度レベルは順次低下する請求項３に記載の方法。
【請求項５】
前記ユーザデバイスサービスタイプ情報に基づいて確定されるユーザデバイスの優先度レベルは、会話サービス、ストリーミングサービス、インタラクティブサービス、及び背景サービスに分けられ、前記会話サービス、ストリーミングサービス、インタラクティブサービス、及び背景サービスの優先度レベルは順次低下する請求項３に記載の方法。
【請求項６】
前記ユーザデバイスのネットワークサービスレベルに基づいて確定されるユーザデバイスの優先度レベルは、緊急サービス、一般的なサービス、及び低レベルサービスに分けられ、前記緊急サービス、一般的なサービス、及び低レベルサービスの優先度レベルは順次低下する請求項３に記載の方法。
【請求項７】
ＷＬＡＮネットワークに基づく速度制御システムであって、
ユーザデバイスの優先度レベルに基づいてユーザデバイスのデータ伝送の最高速度閾値と最低速度閾値を確定し、優先度レベルの高いユーザデバイスほど、対応する前記データ伝送の最高速度閾値と最低速度閾値が高くなるように設定された速度閾値配分モジュールと、
ユーザデバイスの優先度レベルに基づいてユーザデバイスのデータ伝送の初期速度を確定し、前記ユーザデバイスのデータ伝送の初期速度が、前記ユーザデバイスに対応する最高速度閾値以下であるとともに、前記ユーザデバイスに対応する最低速度閾値以上であり、優先度レベルの高いユーザデバイスほど、対応する前記データ伝送の初期速度が高くなるように設定された初期速度配分モジュールと、
ユーザデバイスが無線アクセスノード（ＡＰ）へ送信したサービス請求を受信した場合、確定された前記ユーザデバイスのデータ伝送の初期速度に基づいて、ユーザデバイスへサービスを提供するように設定されたデータ伝送モジュールと、を備えるＷＬＡＮネットワークに基づく速度制御システム。
【請求項８】
前記無線アクセスノードにアクセスするユーザデバイスの数が変化する、及び/又はサービスタイプの使用が変化する、及び/又は無線ネットワークの環境が変化する場合、ユーザデバイスの優先度レベルに基づいてユーザデバイスのデータ伝送の速度を再び確定し、優先度レベルの高いユーザデバイスほど、対応する前記データ伝送の速度が高くなるように設定された速度配分モジュールを更にを備え、
前記データ伝送モジュールは更に、ユーザデバイスが無線アクセスノード（ＡＰ）へ送信したサービス請求を受信した場合、前記再び確定されたユーザデバイスのデータ伝送の速度に基づいて、前記ユーザデバイスへサービスを提供するように設定された請求項７に記載のシステム。
【請求項９】
前記ユーザデバイスの優先度レベルは、前記ユーザデバイスのレベル情報、及び/又はネットワークサービスレベル、及び/又はサービスタイプ情報に基づいて確定される請求項７又は８に記載のシステム。
【請求項１０】
前記ユーザデバイスレベル情報に基づいて確定されるユーザデバイスの優先度レベルは、上級ユーザ、普通ユーザ、及び下級ユーザに分けられ、前記上級ユーザ、普通ユーザ、及び下級ユーザの優先度レベルは順次低下する請求項９に記載のシステム。
【請求項１１】
前記ユーザデバイスサービスタイプ情報に基づいて確定されるユーザデバイスの優先度レベルは、会話サービス、ストリーミングサービス、インタラクティブサービス、及び背景サービスに分けられ、前記会話サービス、ストリーミングサービス、インタラクティブサービス、及び背景サービスの優先度レベルは順次低下する請求項９に記載のシステム。
【請求項１２】
前記ユーザデバイスのネットワークサービスレベルに基づいて確定されるユーザデバイスの優先度レベルは、緊急サービス、一般的なサービス、及び低レベルサービスに分けられ、前記緊急サービス、一般的なサービス、及び低レベルサービスの優先度レベルは順次低下する請求項９に記載のシステム。
【発明の詳細な説明】
【技術分野】
【０００１】
本発明は、無線ネットワークのデータ伝送技術に関し、具体的には、ＷＬＡＮネットワークに基づく速度制御システム及び方法に関する。
【背景技術】
【０００２】
スマートフォン、タブレット型パソコン、電子リーダー等のモバイルインテリジェント端末の急速発展は、モバイルインターネットビジネスの急速な増長を促進しており、更にモバイルネットワークに大きなデータトラヒック量の負担をもたらす。対応として、中国国内の事業者は 「３Ｇ＋ＷＬＡＮ」の解决策を採用して、モバイルネットワークを築き上げる同時に、大規模にＷＬＡＮネットワークを配置し始め、それにより、モバイルネットワークのキャリア負担を分担する。ＷＬＡＮ（Wireless Local Area Network、無線ローカルエリアネットワーク）は、無線多重アクセスチャンネルを伝送媒体とし、ローカルエリアネットワークの無線接続サービスを提供し、小さな範囲内に高速な無線データアクセスを提供することができ、ユーザは、いつでも、どこでも、自由にブロードバンドネットワークのアクセスを確実に実現することができる。金融、旅行、医療看護、展示会等の分野において広い先行き発展性を備えている。
【０００３】
事業者は、ユーザに、差別化したサービスタクティクス、及び柔軟な価格設定タクティクスを設定する必要があり、それにより、上級ユーザが優れたＷＬＡＮ使用体験を有することを保証する。更に、ネットワークアプリケーションの特徴に応じて差別化したネットワークリソース使用タクティクスを設定する必要があり、それにより、重要なサービストラヒック量の帯域幅の使用を保障し、異なるサービス品質要求の付加価値サービスを増加する。
【０００４】
事業者の以上の需要を満たすために、ＷＬＡＮの関連技術が、ユーザとサービスに基づくトラヒック量識別と制御機能を有することを要求し、事業者が効果的なトラヒック量マネージメントと管理を実現することに寄与できる。
【発明の概要】
【発明が解決しようとする課題】
【０００５】
近年、インターネットの幅広い利用は、大量の新型アプリケーションの導入と発展を引き起こす。従来のインターネットの閲覧、問い合わせ、電子メール等の多種の応用タイプ以外、マルチスレッドのＦＴＰダウンロード、オンラインビデオ、オンラインゲーム、Ｐ２Ｐアプリケーション、ワーム、ウイルス攻撃等の多種の新型のネットワークデータが、ネットワークにおいて大量に使用され、出現している。特に、Ｐ２Ｐ アプリケーションは、大量のオンラインのクライアントデバイス（例えば、ＰＣ等）のリソースを用いてファイル伝送の能力を最適化するので、ネットワークリソースの大きい消耗を引き起こす。統制がとれていない場合は、正常なネットワークのマネージメントに大きく影響する。また、ＷＩＦＩ技術の特性により、帯域幅は全ての端末で共有されたものであり、このため、一部の端末が大量の帯域幅を占用した後、間違いなく、同一のＡＰでは、他のユーザサービス使用の異常を引き起こし、ＶＩＰユーザの帯域幅を、ピーク時間内において効果的に保障することができない。
【課題を解決するための手段】
【０００６】
上記技術問題を解決するために、本発明の実施例は、ＷＬＡＮネットワークに基づく速度制御システム及び方法を提供するもので、ユーザの優先度レベルに基づいてデータの伝送速度を確定する。具体的な技術方式は、以下のとおりである。
【０００７】
本発明の実施例は、ＷＬＡＮネットワークに基づく速度制御方法を開示し、以下を含む。
ユーザデバイスの優先度レベルに基づいてユーザデバイスのデータ伝送の最高速度閾値と最低速度閾値を確定し、優先度レベルの高いユーザデバイスに対応する前記データ伝送の最高速度閾値と最低速度閾値が高いこと、
ユーザデバイスの優先度レベルに基づいてユーザデバイスのデータ伝送の初期速度を確定し、前記ユーザデバイスのデータ伝送の初期速度が、前記ユーザデバイスに対応する最高速度閾値以下であるとともに、前記ユーザデバイスに対応する最低速度閾値以上であり、優先度レベルの高いユーザデバイスに対応する前記データ伝送の初期速度が高いこと、及び
ユーザデバイスが無線アクセスノード（ＡＰ）へ送信したサービス請求を受信した場合、確定された前記ユーザデバイスのデータ伝送の初期速度に基づいてユーザデバイスへサービスを提供すること、を含む。
【０００８】
選択的に、前記方法は、更に以下を含む。
前記無線アクセスノードにアクセスするユーザデバイスの数が変化するか、及び/又はサービスタイプの使用が変化するか、及び/又は無線ネットワークの環境が変化する場合、ユーザデバイスの優先度レベルによりユーザデバイスのデータ伝送の速度を再び確定し、優先度レベルの高いユーザデバイスに対応する前記データ伝送の速度が高くなること、及び
ユーザデバイスが無線アクセスノード（ＡＰ）へ送信したサービス請求を受信した場合、前記再び確定されたユーザデバイスのデータ伝送の速度に基づいて、前記ユーザデバイスへサービスを提供すること、を含む。
【０００９】
選択的に、
前記ユーザデバイスの優先度レベルは、前記ユーザデバイスのレベル情報、及び/又はネットワークサービスレベル、及び/又はサービスタイプ情報に基づいて確定される。
【００１０】
選択的に、
前記ユーザデバイスのレベル情報に基づいて確定される優先度レベルは、上級ユーザ、普通ユーザ、及び下級ユーザに分けられ、前記上級ユーザ、普通ユーザ、及び下級ユーザの優先度レベルは順次低下する。
【００１１】
選択的に、
前記ユーザデバイスのサービスタイプ情報に基づいて確定される優先度レベルは、会話サービス、ストリーミングサービス、インタラクティブサービス、及び背景サービスに分けられ、前記会話サービス、ストリーミングサービス、インタラクティブサービス、及び背景サービスの優先度レベルは順次低下する。
【００１２】
選択的に、   
前記ユーザデバイスのネットワークサービスレベルに基づいて確定される優先度レベルは、緊急サービス、一般的なサービス、及び低レベルサービスに分けられ、前記緊急サービス、一般的なサービス、及び低レベルサービスの優先度レベルは順次低下する。
【００１３】
本発明の実施例は、ＷＬＡＮネットワークに基づく速度制御システムをさらに開示し、以下を含む。
ユーザデバイスの優先度レベルに基づいて、ユーザデバイスのデータ伝送の最高速度閾値と最低速度閾値を確定し、優先度レベルの高いユーザデバイスに対応する前記データ伝送の最高速度閾値と最低速度閾値が高くなるように設定された速度閾値配分モジュールと、
ユーザデバイスの優先度レベルに基づいて、ユーザデバイスのデータ伝送の初期速度を確定し、前記ユーザデバイスのデータ伝送の初期速度が、前記ユーザデバイスに対応する最高速度閾値以下であるとともに、前記ユーザデバイスに対応する最低速度閾値以上であり、優先度レベルの高いユーザデバイスに対応する前記データ伝送の初期速度が高くなるように設定された初期速度配分モジュールと、
ユーザデバイスが無線アクセスノード（ＡＰ）へ送信したサービス請求を受信した場合、前記確定されたユーザデバイスのデータ伝送の初期速度に基づいて、ユーザデバイスへサービスを提供するように設定されたデータ伝送モジュールと、を備える。
【００１４】
選択的に、
前記システムは、前記無線アクセスノードにアクセスするユーザデバイスの数が変化するか、及び/又はサービスタイプの使用が変化するか、及び/又は無線ネットワークの環境が変化する場合、ユーザデバイスの優先度レベルに基づいて、ユーザデバイスのデータ伝送の速度を再び確定し、優先度レベルの高いユーザデバイスに対応する前記データ伝送の速度が高くなるように設定された速度配分モジュールを更に備え、
前記データ伝送モジュールは、更に、ユーザデバイスが無線アクセスノード（ＡＰ）へ送信したサービス請求を受信した場合、前記再び確定されたユーザデバイスのデータ伝送の速度に基づいて、前記ユーザデバイスへサービスを提供するように設定されている。
【００１５】
選択的に、
前記ユーザデバイスの優先度レベルは、前記ユーザデバイスのレベル情報、及び/又はネットワークサービスレベル、及び/又はサービスタイプ情報に基づいて確定される。
【００１６】
選択的に、
前記ユーザデバイスのレベル情報に基づいて確定される優先度レベルは、上級ユーザ、普通ユーザ、及び下級ユーザに分けられ、前記上級ユーザ、普通ユーザ、及び下級ユーザの優先度レベルは順次低下する。
【００１７】
選択的に、
前記ユーザデバイスのサービスタイプ情報に基づいて確定される優先度レベルは、会話サービス、ストリーミングサービス、インタラクティブサービス、及び背景サービスに分けられ、前記会話サービス、ストリーミングサービス、インタラクティブサービス、及び背景サービスの優先度レベルは順次低下する。
【００１８】
選択的に、
前記ユーザデバイスのネットワークサービスレベルに基づいて確定される優先度レベルは、緊急サービス、一般的なサービス、及び低レベルサービスに分けられ、前記緊急サービス、一般的なサービス、及び低レベルサービスの優先度レベルは順次低下する。
【発明の効果】
【００１９】
本発明の実施例は、ユーザの優先度レベルに基づいてデータ伝送の速度を確定し、チャンネルの利用率を向上させ、且つ、事業者は、ユーザとサービスに基づくトラヒック量識別と制御機能を満たすことができ、事業者が効果的なトラヒック量マネージメントと管理を実現することに寄与する。
【図面の簡単な説明】
【００２０】
【図１】図１は、本発明の実施例におけるＷＬＡＮネットワークに基づく速度制御システムのブロック図である。
【図２】図２は、本発明の実施例におけるＷＬＡＮネットワークに基づく速度制御方法のフローチャートである。
【図３】図３は、本発明の実施例における他のＷＬＡＮネットワークに基づく速度制御方法のフローチャートである。
【発明を実施するための形態】
【００２１】
本発明の実施形態において、ユーザデバイスの優先度レベルに基づいてユーザデバイスのデータ伝送の最高速度閾値と最低速度閾値を確定し、優先度レベルの高いユーザデバイスに対応するデータ伝送の最高速度閾値と最低速度閾値が高くなる。ユーザデバイスの優先度レベルに基づいてユーザデバイスのデータ伝送の初期速度を確定し、ユーザデバイスのデータ伝送の初期速度が、ユーザデバイスに対応する最高速度閾値以下であるとともに、ユーザデバイスに対応する最低速度閾値以上であり、優先度レベルの高いユーザデバイスに対応するデータ伝送の初期速度が高くなる。ユーザデバイスが無線アクセスノード（ＡＰ）へ送信したサービス請求を受信した場合、確定されたユーザデバイスのデータ伝送の初期速度に基づいて、ユーザデバイスへサービスを提供する。
【００２２】
以下、図面を参照しながら、本発明の好ましい実施例を説明する。ここに記載した好ましい実施例は、単に本発明を説明して解釈するためのものであり、当然、本発明を限定するためのものではないことを、理解すべきである。
【００２３】
装置の実施例
図１に示すように、本発明の実施例は、ＷＬＡＮネットワークに基づく速度制御システムを開示し、速度自己適応型システムと称することもでき、無線アクセスノード（ＡＰ）において設定されることができ、以下を含む。
ユーザデバイスの優先度レベルに基づいてユーザデバイスのデータ伝送の最高速度閾値と最低速度閾値を確定し、前記優先度レベルの高いユーザデバイスに対応する前記データ伝送の最高速度閾値と最低速度閾値が高くなるように設定された速度閾値配分モジュール１０１と、
ユーザデバイスの優先度レベルに基づいてユーザデバイスのデータ伝送の初期速度を確定し、前記ユーザデバイスのデータ伝送の初期速度が、前記ユーザデバイスに対応する最高速度閾値以下であるとともに、前記ユーザデバイスに対応する最低速度閾値以上であり、優先度レベルの高いユーザデバイスに対応する前記データ伝送の初期速度が高くなるように設定された初期速度配分モジュール１０２と、
ユーザデバイスが無線アクセスノード（ＡＰ）へ送信したサービス請求を受信した場合、前記確定されたユーザデバイスのデータ伝送の初期速度に基づいて、ユーザデバイスへサービスを提供するように設定されたデータ伝送モジュール１０３と、を備えている。
【００２４】
優先度レベルの区分は多種の方式を含んでもよく、例えば、ユーザのレベルに基づいて区分されてもよく、サービスのレベルに基づいて区分されてもよく、又はサービスタイプに基づいて区分されてもよい。
【００２５】
ユーザデバイスのレベル情報に基づいて確定される優先度レベルは、上級ユーザ、普通ユーザ、及び下級ユーザに分けられることができ、前記上級ユーザ、普通ユーザ、及び下級ユーザの優先度レベルは順次低下する。
【００２６】
ユーザデバイスのサービスタイプ情報に基づいて確定される優先度レベルは、会話サービス、ストリーミングサービス、インタラクティブサービス、及び背景サービスに分けられることができ、前記会話サービス、ストリーミングサービス、インタラクティブサービス、及び背景サービスの優先度レベルは順次低下する。
【００２７】
ユーザデバイスのネットワークサービスレベルにより確定される優先度レベルは、緊急サービス、一般的なサービス、及び低レベルサービスに分けられることができ、前記緊急サービス、一般的なサービス、及び低レベルサービスの優先度レベルは順次低下する。
【００２８】
同一の無線アクセスノードに対して、ひっきりなしにユーザのアクセス又はアクセス終了があり、且つ、無線ネットワークの環境が絶え間なく変化すると、それによって、各ユーザデバイスのデータ伝送速度を再び計算する必要がある。上記のシステムは、更に速度配分モジュールを備えていてもよく、速度配分モジュールは、前記無線アクセスノードにアクセスするユーザデバイスの数が変化するか、及び/又はサービスタイプの使用が変化するか、及び/又は無線ネットワークの環境が変化する場合、ユーザデバイスの優先度レベルに基づいてユーザデバイスのデータ伝送の速度を再び確定し、優先度レベルの高いユーザデバイスに対応する前記データ伝送の速度が高くなることに用いられる。
【００２９】
データ伝送モジュール１０３は、更に、ユーザデバイスが無線アクセスノード（ＡＰ）へ送信したサービス請求を受信した場合、前記再び確定されたユーザデバイスのデータ伝送の速度に基づいて、ユーザデバイスへサービスを提供するように設定される。
【００３０】
方法の実施例１
図２に示すように、本発明の実施例は、ＷＬＡＮネットワークに基づく速度制御方法を開示し、以下を含む。
ステップＳ２０１： ユーザデバイスの速度制御システムは、ユーザデバイスの優先度レベルに基づいてユーザデバイスのデータ伝送の最高速度閾値と最低速度閾値を確定し、
優先度レベルの高いユーザデバイスに対応する前記データ伝送の最高速度閾値と最低速度閾値が高くなるようにする。
ステップＳ２０２： ユーザデバイスの速度制御システムは、ユーザデバイスの優先度レベルに基づいてユーザデバイスのデータ伝送の初期速度を確定し、
ユーザデバイスのデータ伝送の初期速度が、ユーザデバイスに対応する最高速度閾値以下であるとともに、ユーザデバイスに対応する最低速度閾値以上であり、優先度レベルの高いユーザデバイスに対応する前記データ伝送の初期速度が高くなるようにする。
ステップＳ２０３： ユーザデバイスが無線アクセスノード（ＡＰ）へ送信したサービス請求を受信した場合、確定されたユーザデバイスのデータ伝送の初期速度に基づいて、ユーザデバイスへサービスを提供する。
【００３１】
優先度レベルの区分は多種の方式を含んでもよく、例えば、ユーザのレベルに基づいて区分されてもよく、サービスのレベルに基づいて区分されてもよく、又はサービスタイプ情報に基づいて区分されてもよい。
【００３２】
ユーザデバイスのレベル情報に基づいて確定される優先度レベルは、上級ユーザ、普通ユーザ、及び下級ユーザに分けられることができ、前記上級ユーザ、普通ユーザ、及び下級ユーザの優先度レベルは順次低下する。
【００３３】
ユーザデバイスのサービスタイプ情報に基づいて確定される優先度レベルは、会話サービス、ストリーミングサービス、インタラクティブサービス、及び背景サービスに分けられることができ、前記会話サービス、ストリーミングサービス、インタラクティブサービス、及び背景サービスの優先度レベルは順次低下する。
【００３４】
ユーザデバイスのネットワークサービスレベルに基づいて確定される優先度レベルは、緊急サービス、一般的なサービス、及び低レベルサービスに分けられることができ、前記緊急サービス、一般的なサービス、及び低レベルサービスの優先度レベルは順次低下する。
【００３５】
方法の実施例２
同一のネットワークアクセスノードに対して、ひっきりなしにユーザのアクセス又はアクセス終了があり、且つ、ネットワークの環境が絶え間なく変化すると、それによって、各ユーザデバイスのデータ伝送速度を再び計算する必要がある。  
【００３６】
図３に示すように、本実施例は、他のＷＬＡＮネットワークに基づく速度制御方法を開示し、前記無線アクセスノードにアクセスするユーザデバイスの数が変化するか、及び/又はサービスタイプの使用が変化するか、及び/又は無線ネットワークの環境が変化する場合に適用し、以下を含む。
ステップＳ３０１： ユーザデバイスの速度制御システムは、ユーザデバイスの優先度レベルに基づいて、ユーザデバイスのデータ伝送の最高及び最低の速度閾値を確定する。
ステップＳ３０２： ユーザデバイスの速度制御システムは、ユーザデバイスの優先度レベルに基づいて、ユーザデバイスのデータ伝送の初期速度を確定する。
ステップＳ３０３： ユーザデバイスが無線アクセスノード（ＡＰ）へ送信したサービス請求を受信した場合、確定されたユーザデバイスのデータ伝送の初期速度に基づいて、ユーザデバイスへサービスを提供する。
ステップＳ３０４： 前記無線アクセスノードにアクセスするユーザデバイスの数が変化するか、及び/又はサービスタイプの使用が変化するか、及び/又は無線ネットワークの環境が変化する場合、ユーザデバイスの速度制御システムは、ユーザデバイスの優先度レベルに基づいて、ユーザデバイスのデータ伝送の速度を再び確定する。
ステップＳ３０５： ユーザデバイスが無線アクセスノード（ＡＰ）へ送信したサービス請求を受信した場合、再び確定されたユーザデバイスのデータ伝送の速度に基づいて、ユーザデバイスへサービスを提供する。
【００３７】
前記無線アクセスノードにアクセスするユーザデバイスの数が変化するか、及び/又はサービスタイプの使用が変化するか、及び/又は無線ネットワークの環境が変化することによって、ユーザデバイスのデータ伝送の速度を再び確定する場合、優先度レベルの高いユーザデバイスに対応する前記データ伝送の速度が高くなる。
【００３８】
最後に、以上に記載されたものは、単に本発明の好ましい実施例であるに過ぎず、本発明を限定するためのものではなく、前記実施例を参照して本発明について詳しく説明したが、当業者にとっては、依然として、前記各実施例に記載の技術的構成又は手順について修正することも、又はその中の一部の技術特徴を等価置き換えすることも可能である。本発明の主旨と理念から逸脱しない限り、行った何れの修正、等価置き換え、改善などは、いずれも本発明の保護範囲に含まれることを説明すべきである。
【産業上の利用可能性】
【００３９】
本発明の実施例は、ユーザの優先度レベルに基づいてデータ伝送の速度を確定し、チャンネルの利用率を向上させ、且つ、事業者は、ユーザとサービスに基づくトラヒック量識別と制御機能を満たすことができ、事業者が効果的なトラヒック量マネージメントと管理を実現することに寄与する。
【図１】
2015529409.tif 000003
【図２】
2015529409.tif 000004
【図３】
2015529409.tif 000005
【国際調査報告】
2015529409.tif 000006
2015529409.tif 000007
2015529409.tif 000008
2015529409.tif 000009
2015529409.tif 000010
2015529409.tif 000011